(57)【要約】      （修正有）【課題】小さいサイズの曲面の切削、研磨を可能にする電動グラインダー兼用カッター用小口径装置を提供する。【解決手段】回転刃や回転砥石の径を１００ミリ以下、ギリギリ５０ミリまでの径が可能であれば、小さな円、小さな曲線を切断する時でも、また、狭い曲面及び角隅、細部の切削、研磨する時でも有効に働くことが分かったが、従来の携帯小型電動グラインダー兼用カッターでは構造上、本体のヘッド部が被対象物に常時当たってしまい、作業効率と仕上げに著しい齟齬をきたす、そこで本品は、力の入れ具合の安定性が多少阻害されるが、使用用途がそのような局所であることもあって、本体のヘッド部から離すように、主にオールメスネジ６角長ナットと、オスネジニップルを併用して工夫、離したことによって、本体ヘッド部に邪魔されず、加工動作が自由自在に行えるようになった。また、ネジ締めも２箇所だけで済み、交換にもそれほどの困難は伴わない。【選択図】図１
0003161498.tif 000002
【実用新案登録請求の範囲】
【請求項１】
携帯小型電動グラインダー兼用カッターでコンクリート、タイル、石、鉄、非鉄金属等を切断、及び切削、研磨等の加工作業をする時、現在多く市販されている１０センチ径前後のダイヤモンドカッター回転刃や回転切断砥石や回転グラインダー砥石では、細い穴開けや細かい曲線や円形及び壁床隅などの切断、切削、研磨などがスムースにできない、このような部分の穴開けにはホールソーもあるが、穴開け専用であって、且つ、取替えの面倒もあって作業効率も悪い、本考案品は、従来普及している小型電動グラインダー兼用カッターを使用して、回転刃や回転切断砥石や回転グラインダー砥石の小口径化を進めた物であり、従来の本体に比較的近い回転刃の位置設定では、細かな作業の精度はのぞめない、そこで回転刃の位置を本体からやや離す必要があるので、回転刃や回転砥石を止め押さえる主に３センチ径の螺子抱合部品類を適宜追加して行く、最初は本体に必ず付属する凹溝のある鉄製で３センチ径の鉄輪金具を、本体から突き出たボルト形状の回転軸Ａに嵌め、その次に同じく３センチ径のプラスチック輪を回転軸に嵌め、内径１０ミリの長さ３センチのオールメスネジ６角長ナットを１．５センチ余の回転軸にネジ回して固定し、次に３センチ長１０ミリのオスネジニップルで、そのオールメスネジ長ナットの残りの中間まで一杯に回して留めて追加の回転軸Ｂとし、且つ、１．５センチを頭出しして固定する、オールメスネジ６角長ナットにピッタリ接続できるようにオスネジニップルの追加の回転軸Ｂに、３センチ径のプラスチック輪を嵌め、次に回転刃及び、回転砥石の受け用に形状した３センチ径の鉄輪金具を追加の回転軸Ｂに嵌めて、それに５０ミリから９０ミリ径範囲の小回転刃や小回転砥石を嵌め付け、最後に３センチ径の円形鉄製ナットを回してしっかり締め付けると、オールメスネジ６角長ナットの３センチ分だけ本体から離れ、本体に邪魔されず自在に小回転刃や小回転砥石が操れて、作業効率が格段に良くなる携帯小型電動グラインダー兼用カッター用小口径装置。
【考案の詳細な説明】
【技術分野】
【０００１】建築金物、小型グラインダー、サンダーカッター、回転切断砥石、ダイヤモンドカッター回転刃、回転グラインダー砥石、工具、ハンドカッター回転刃電動工具、タイル、コンクリート、石、ブロック工具
【背景技術】
【０００２】携帯小型電動グラインダー兼用カッターは、ほとんどが１０センチ前後の回転刃や回転砥石である。【０００３】小口径の物ではホビー用の能力の弱く小さな工作物の製作用のものがある。【０００４】現在の普通の１０センチ刃では、細かい曲線切りや円形、曲面、角隅での切断、切削、研磨作業が困難。
【考案の開示】
【考案が解決しようとする課題】
【０００５】１０センチの普通の回転刃ではどうしても加工できない細かい部分でも、できる限り限度一杯に加工作業をしたい。【０００６】本体に回転刃が近過ぎると、本体が加工作業の邪魔をして細かい作業が速やかにいかないが、遠すぎても力の掛け具合が難しく安定性に欠ける。【０００７】小さな円や楕円、角の切断、壁床の隅々までの切断、複雑で細かい曲線切りを可能にする。【０００８】細かい部分の切削、研磨等は、できるだけ壁床の隅々まで行う事が可能となるようにする。【０００９】小さいサイズの曲面の切削、研磨を可能にする。【００１０】細かい作業をするだけでは駄目で、ある程度の作業能率も必要である。
【課題を解決するための手段】
【００１１】特別に専用機を使わず、汎用性ある市販の携帯小型電動グラインダー兼用カッターで使用可能にするために、３センチ径のナットや中央に丸いボルト通過用穴の開いた３センチ径の円形の鉄輪やプラスチック輪や、又、３センチ長の６角メスネジナットや３センチ長のオスネジニップルなどを組み合わせて、小回転刃や小グラインダーや小回転切断砥石や円形フェルト等を取り付ける。【００１２】細かい作業を可能とするために、できるだけ安定を損ねない程度に本体から小回転刃や小グラインダーや小回転砥石や円形フェルトの位置を離す。【００１３】作業能率と、細かい精度の高い作業をするために、小口径の回転刃や切断砥石やグラインダーやフェルトは５０ミリ乃至９０ミリ程度の径の物が良く、切断では最高２センチの厚みの物が切断できる。
【考案の効果】
【００１４】小さな円や細かな曲線の切断で最大の効果を発揮する。【００１５】曲面や角隅の切削、研磨も精度が高く効果は顕著。【００１６】小回転刃や小回転砥石の斜度をかなりきつく取って作業しても、本体と離れているために、その操作性は非常に高い。
【考案を実施するための最良の形態】
【００１７】図面の図１から本体１の回転部で、本体からの回転を受けた２の長さ３センチ程のオスネジボルトの回転軸Ａに、通常本体に付属して、本体側の中央に溝があり嵌めこむ形式になっている丸い３センチ径の鉄輪３を最初に嵌め、次に同じ３センチ径のプラスチック輪４を嵌めると、１００ミリの普通の回転刃や普通の回転砥石９はここで取り付けられる。【００１８】本考案品は、ここで普通に小回転刃や小回転砥石９を取り付けずに、残った本体からの回転軸Ａのオスネジボルト２の１．５センチに５の３センチ長のオールメスネジ６角ナットを回して４のプラスチック輪を締めつける。【００１９】次に３センチ長のオスネジニップル６をオールメスネジ６角ナット５に回しねじ込み、これを追加の回転軸Ｂとする、更にプラスチック輪７を６に嵌め、鉄輪８も同じように６に嵌め、ここで小回転刃や小回転砥石９を嵌めて、最後に鉄ナット１０のネジで締め上げる。【００２０】これらのように、本体１のヘッド部の先端が先に出ているために、小回転刃や小回転砥石が本体に近接していると、小口径にできなかったが、離す事によって作業がヘッドで衝突する事なくできるようになる。
【図面の簡単な説明】
【００２１】
【図１】本体と本考案品の側面図。
【符号の説明】
【００２２】  １、  本体の携帯小型電動グラインダーカッター。
２、  本体付属のオスネジ回転軸Ａ。
３、  本体付属のメーカー仕様溝付き回転軸に嵌める形式の鉄輪。
４、  同、プラスチック製の輪。
５、  回転軸に回し、プラスチック輪４と鉄輪３を締め上げる５のオールメスネジ６角ナット。
６、  その５に回し締める６のオスネジニップルの追加の回転軸Ｂ。
７、  プラスチック製の輪。
８、  小回転刃や小回転砥石を受ける鉄輪。
９、  小回転刃や小回転砥石。
１０、  小回転刃や小回転砥石を止め締める鉄ナット。
【図１】
0003161498.tif 000003
【手続補正書】
【提出日】平成22年1月7日(2010.1.7)
【手続補正１】
【補正対象書類名】実用新案登録請求の範囲
【補正対象項目名】全文
【補正方法】変更
【補正の内容】
【実用新案登録請求の範囲】
【請求項１】
携帯小型電動グラインダー兼用カッターでコンクリート、タイル、石、鉄、非鉄金属等を切断、及び切削、研磨等の加工作業をする時、現在多く市販されている１０センチ径前後のダイヤモンドカッター回転刃や回転切断砥石や回転グラインダー砥石では、細い穴開けや細かい曲線や円形及び壁床隅などの切断、切削、研磨などがスムースにできない、このような部分の穴開けにはホールソーもあるが、穴開け専用であって、且つ、取替えの面倒もあって作業効率も悪い、本考案品は、小型電動グラインダー兼用カッターを使用して、回転刃や回転切断砥石や回転グラインダー砥石の小口径化を進めた物であり、比較的持ち手の本体に近い回転刃の位置設定では本体が邪魔になり、細かな作業の精度はのぞめない、そこで回転刃の位置を本体からやや離す必要があるので、回転刃や回転砥石を止め押さえる主に３センチ径の螺子抱合部品類を適宜追加して行く、最初は本体に必ず付属する凹溝のある鉄製で３センチ径の鉄輪金具を、本体から突き出たボルト形状の回転軸Ａに嵌め、その次に同じく３センチ径のプラスチック輪を回転軸に嵌め、内径１０ミリで長さ３センチのオールメスネジ６角長ナットを１．５センチ余の回転軸にネジ回して固定し、次に３センチ長１０ミリのオスネジニップルで、そのオールメスネジ長ナットの残りの中間まで一杯に回して留めて追加の回転軸Ｂとし、且つ、１．５センチを頭出しして固定する、オールメスネジ６角長ナットにピッタリ接続できるようにオスネジニップルの追加の回転軸Ｂに、３センチ径のプラスチック輪を嵌め、次に回転刃及び、回転砥石の受け用に形状した３センチ径の鉄輪金具を追加の回転軸Ｂに嵌めて、それに５０ミリから９０ミリ径範囲の小回転刃や小回転砥石を嵌め付け、最後に３センチ径の円形鉄製ナットを回してしっかり締め付けると、オールメスネジ６角長ナットの３センチ分だけ本体から離れ、本体に邪魔されず自在に小回転刃や小回転砥石が操れて、作業効率が格段に良くなる携帯小型電動グラインダー兼用カッター用小口径装置。
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
小型電動グラインダー兼用カッターを使用して、回転刃や回転切断砥石や回転グラインダー砥石の小口径化を進めた物であり、回転刃や回転砥石を止め押さえる主に３センチ径の螺子抱合部品類を適宜追加して行く、最初は本体に必ず付属する凹溝のある鉄製で３センチ径の鉄輪金具を、本体から突き出たボルト形状の回転軸Ａに嵌め、その次に同じく３センチ径のプラスチック輪を回転軸に嵌め、内径１０ミリで長さ３センチのオールメスネジ６角長ナットを１．５センチ余の回転軸にネジ回して固定し、次に３センチ長１０ミリのオスネジニップルで、そのオールメスネジ長ナットの残りの中間まで一杯に回して留めて追加の回転軸Ｂとし、且つ、１．５センチを頭出しして固定する、オールメスネジ６角長ナットにピッタリ接続できるようにオスネジニップルの追加の回転軸Ｂに、３センチ径のプラスチック輪を嵌め、次に回転刃及び、回転砥石の受け用に形状した３センチ径の鉄輪金具を追加の回転軸Ｂに嵌めて、それに５０ミリから９０ミリ径範囲の小回転刃や小回転砥石を嵌め付け、最後に３センチ径の円形鉄製ナットを回してしっかり締め付けると、オールメスネジ６角長ナットの３センチ分だけ本体から離れた、携帯小型電動グラインダー兼用カッター用小口径装置。
【手続補正書】
【提出日】平成22年5月11日(2010.5.11)
【手続補正１】
【補正対象書類名】実用新案登録請求の範囲
【補正対象項目名】全文
【補正方法】変更
【補正の内容】
【実用新案登録請求の範囲】
【請求項１】
小型電動グラインダー兼用カッターを使用して、回転刃や回転切断砥石や回転グラインダー砥石の小口径化を進めた物であり、回転刃や回転砥石を止め押さえる主に３センチ径の螺子抱合部品類を適宜追加して行く、最初は本体に必ず付属する凹溝のある鉄製で３センチ径の鉄輪金具を、本体から突き出たボルト形状の回転軸Ａに嵌め、その次に同じく３センチ径のプラスチック輪を回転軸に嵌め、内径１０ミリで長さ３センチのオールメスネジ６角長ナットを１．５センチ余の回転軸にネジ回して固定し、次に３センチ長１０ミリのオスネジニップルで、そのオールメスネジ６角長ナットの残りの中間まで一杯に回して留めて追加の回転軸Ｂとし、且つ、１．５センチを頭出しして固定する、オールメスネジ６角長ナットにピッタリ接続できるようにオスネジニップルの追加の回転軸Ｂに、３センチ径のプラスチック輪を嵌め、次に回転刃及び、回転砥石の受け用に形状した３センチ径の鉄輪金具を追加の回転軸Ｂに嵌めて、それに５０ミリから９０ミリ径範囲の小回転刃や小回転砥石を嵌め付け、最後に３センチ径の円形鉄製ナットを回してしっかり締め付けると、オールメスネジ６角長ナットの３センチ分だけ本体から離れた、携帯小型電動グラインダー兼用カッター用小口径装置。